(57)【要約】【課題】空気調和機の室外ユニットにおいて、リアクターの放熱性を向上させて、リアクター周辺の電子部品の温度上昇、及びリアクターでの損失増加を防止する。【解決手段】リアクター２１の巻線２２の一部が、放熱用熱交換器に送風する送風機１４の送風経路途上に露出するようにリアクター２１を配置する。送風機１４からの送風によりリアクター２１の巻線２２が強制冷却されるため、リアクター２１の放熱性を向上させることができる。【選択図】図１
2009250525.tif 000002
【特許請求の範囲】
【請求項１】
冷媒を圧縮する圧縮機と、この圧縮機から吐出した冷媒を介して室内側と熱交換を行う放熱用熱交換器と、この放熱用熱交換器に送風する送風機と、前記圧縮機及び前記送風機を制御する制御回路基板と、この制御回路基板に接続されたリアクターを有する空気調和機の室外ユニットにおいて、前記リアクターを構成する巻線を前記送風機の送風経路途上に配置したことを特徴とする空気調和機の室外ユニット。
【請求項２】
送風機の送風経路途上に配置したリアクターの巻線に防湿、防錆用のコーティング材を塗布したことを特徴とする請求項１に記載の空気調和機の室外ユニット。
【発明の詳細な説明】
【技術分野】
【０００１】
本発明は空気調和機の室外ユニットに関するもので、例えばインバーター回路を搭載する室外ユニットのリアクターの取り付け構造に関するものである。
【背景技術】
【０００２】
図４に従来技術における空気調和機の室外ユニットの構成図を示す（例えば、特許文献１参照）。図において、室外ユニット底板１１に立設された垂直な金属製仕切り板１２で放熱用熱交換器１３や送風機１４の設置されている送風機室１５と圧縮機１６等の電気部品が設置されている圧縮機室１７とを区画し、仕切り板１２の上端に制御回路基板１８等を内部に固定した電装品ボックス１９を送風機室１５側と圧縮機室１７側とに跨って設置している。
【０００３】
この電装品ボックス１９の送風機室１５側には圧縮機１６への大電流を流し高温に発熱するパワートランジスタ等の放熱板を電装品ボックス１９に開口部を設けて送風機室１５側に臨ませたものが一般的に知られている。圧縮機室１７側の下部には圧縮機１６が設置され、この圧縮機１６と電装品ボックス１９の中間あたりで仕切り板１２に圧縮機室１７側からリアクター２１を固定することも一般的に知られている。電装品ボックス１９とリアクター２１は圧縮機室１７側でリード線２３により接続されている。
【特許文献１】特開２０００−１０４９５０号公報
【発明の開示】
【発明が解決しようとする課題】
【０００４】
しかしながら、前記従来の構成では、次のような課題がある。リアクターに大電流が流れ続けた場合、リアクターの温度が上昇して、リアクター周辺の機器、特に電装品ボックス内部の電子部品を輻射熱によってあぶり、雰囲気温度を上昇させるため、電子部品の寿命を短くすることがあるという課題を有していた。また、リアクターの温度が上昇すると巻線の温度特性により直流抵抗が大きくなり、リアクターでの損失が増加するため、空気調和機の電力消費効率を悪化させるという課題もあった。
【０００５】
本発明は、前記従来の課題を解決するもので、リアクターの放熱性を向上させ、リアクター周辺の電子部品の温度上昇、及びリアクターでの損失増加を防止した空気調和機の室外ユニットを提供することを目的とする。
【課題を解決するための手段】
【０００６】
前記従来の課題を解決するために、本発明の空気調和機の室外ユニットは、リアクターを構成する巻線を送風機の送風経路途上に配置したものである。これによって、送風機からの送風により、リアクターの放熱性を向上させることができるため、リアクター周辺の電子部品の温度上昇、及びリアクターでの損失増加を防止することができる。
【発明の効果】
【０００７】
本発明の空気調和機の室外ユニットは、リアクターの放熱性を向上させて、リアクター周辺の電子部品の温度上昇を防止し、電子部品を長寿命化させることができる。また同時にリアクターでの損失増加を防止し、空気調和機の電力消費効率を向上させることができる。
【発明を実施するための最良の形態】
【０００８】
第一の発明は、冷媒を圧縮する圧縮機と、この圧縮機から吐出した冷媒を介して室内側
と熱交換を行う放熱用熱交換器と、この放熱用熱交換器に送風する送風機と、前記圧縮機、及び前記送風機を制御する制御回路基板と、この制御回路基板に接続されたリアクターを有する空気調和機の室外ユニットにおいて、前記リアクターを構成する巻線を前記送風機の送風経路途上に配置した。このことにより、リアクターの放熱性を向上させることができるため、周辺の電子部品の温度上昇、及びリアクターでの損失増加を防止することが可能となる。
【０００９】
第二の発明は、特に、第一の発明のうち、送風機の送風経路途上に配置したリアクターの巻線に防湿、防錆用のコーティング材を塗布した。このことにより、リアクターの巻線を風雨による腐食から確実に保護することができる。
【００１０】
（実施の形態１）
以下、本発明の実施の形態１における空気調和機の室外ユニットの構成について図面を用いて説明する。図１に本発明の実施の形態１おける空気調和機の室外ユニットの構成図を示す。図１において、室外ユニット底板１１に立設された垂直な金属製仕切り板１２で放熱用熱交換器１３や送風機１４の設置されている送風機室１５と圧縮機１６等の電気部品が設置されている圧縮機室１７とを区画し、仕切り板１２の上端に制御回路基板１８等を内部に固定した電装品ボックス１９を送風機室１５側と圧縮機室１７側とに跨って設置している。
【００１１】
圧縮機室１７側の下部には圧縮機１６が設置され、この圧縮機１６と電装品ボックス１９の中間あたりで仕切り板１２に開口部２０を設けて、開口部２０からリアクター２１の巻線２２の一部が送風機室１５に露出するように圧縮機室１７側からリアクター２１を固定している。制御回路基板１８とリアクター２１は、リード線２３により圧縮機室１７側で接続されている。
【００１２】
図２に本発明の実施の形態１おけるリアクターの取り付け構造図を示す。図２において、リアクター２１を仕切り板１２に取り付ける前の状態を示し、リアクター２１を仕切り板１２に固定した状態では、送風機室１５から圧縮機室１７に風雨が侵入しないよう開口部２０はリアクター２１で完全に塞がれている。結果、送風機１４からの送風によりリアクター２１の巻線２２が強制冷却されるため、リアクター２１の放熱性を向上させることができる。
【００１３】
（実施の形態２）
以下、本発明の実施の形態２における空気調和機の室外ユニットの構成について図面を用いて説明する。図３は本発明の実施の形態２おける空気調和機の室外ユニットの構成図である。図３において、図１に示した実施の形態１の構成に加えて、送風機１４の送風経路途上に配置したリアクター２１の巻線２２に防湿、防錆用のコーティング材２４の塗布を行なっている。
【００１４】
これにより、巻線２２に通常施されているワニス等の絶縁材料に加えて、コーティング材２４により巻線２２を二重保護することになるため、巻線２２を風雨による腐食から確実に保護することができる。
【産業上の利用可能性】
【００１５】
以上のように、本発明にかかる空気調和機の室外ユニットは、リアクターの放熱性を向上させて、リアクター周辺の電子部品の温度上昇、及びリアクターでの損失増加を防止することができるため、空気調和機の室外ユニットと同様の構成を持つヒートポンプ式給湯機等への利用としても有用である。
【図面の簡単な説明】
【００１６】
【図１】本発明の実施の形態１における空気調和機の室外ユニットの構成図
【図２】本発明の実施の形態１におけるリアクターの取り付け構造図
【図３】本発明の実施の形態２における空気調和機の室外ユニットの構成図
【図４】従来技術における空気調和機の室外ユニットの構成図
【符号の説明】
【００１７】
１１  室外ユニット底板
１２  仕切り板
１３  放熱用熱交換器
１４  送風機
１５  送風機室
１６  圧縮機
１７  圧縮機室
１８  制御回路基板
１９  電装品ボックス
２０  開口部
２１  リアクター
２２  巻線
２３  リード線
２４  コーティング材
【図１】
2009250525.tif 000003
【図２】
2009250525.tif 000004
【図３】
2009250525.tif 000005
【図４】
2009250525.tif 000006